(57)【要約】      （修正有）【課題】小型化可能な電子時計を提供する。【解決手段】外部操作部材６０と、接続端子を有する回路基板と、外部操作部材６０の押込み操作により押圧されるスイッチばね４０と、スイッチばね４０と接触する接触部５１１を有し、外部操作部材６０の押し込み操作により回動軸を中心にして第１方向に回動する回動部材５１と、回動部材５１が第１方向とは異なる第２方向に回動するように、回動部材５１を付勢する弾性部材５２と、を有し、回動部材５１は、第２方向への回動がスイッチばね４０によって規制されることを特徴とする。【選択図】図７
2019158800.tif 000002
【特許請求の範囲】
【請求項１】
外部操作部材と、
接続端子を有する回路基板と、
前記外部操作部材の押込み操作により押圧されるスイッチばねと、
前記スイッチばねと接触する接触部を有し、前記外部操作部材の押し込み操作により回動軸を中心にして第１方向に回動する回動部材と、
前記回動部材が前記第１方向とは異なる第２方向に回動するように、前記回動部材を付勢する弾性部材と、を有し、
前記回動部材は、前記第２方向への回動が前記スイッチばねによって規制される
ことを特徴とする電子時計。
【請求項２】
請求項１に記載の電子時計において、
前記スイッチばねが取り外されている場合に前記回動部材の前記第２方向への回動を規制する規制部を有する
ことを特徴とする電子時計。
【請求項３】
請求項２に記載の電子時計において、
前記規制部は、前記弾性部材に設けられる
ことを特徴とする電子時計。
【請求項４】
請求項１から請求項３のいずれか一項に記載の電子時計において、
地板と、
文字板と、を有し、
前記回動部材および前記弾性部材は、前記地板および前記文字板の間に配置される
ことを特徴とする電子時計。
【請求項５】
請求項４に記載の電子時計において、
前記外部操作部材は、先端が前記スイッチばねに当接可能な軸部を有し、
前記文字板に平行な方向から見た側面視において、
前記軸部の中心軸は、前記地板の厚みの中間位置よりも前記回動部材に近い位置に配置される
ことを特徴とする電子時計。
【請求項６】
請求項４または請求項５に記載の電子時計において、
前記回路基板を押さえる回路押さえを有し、
前記スイッチばねは、
前記回路押さえに基端が支持され、前記回路基板の外周に沿って延設された支持腕部と、
前記支持腕部に基端が支持され、前記文字板に平行な方向から見た側面視において前記文字板側に延設されたスイッチ片と、を有し、
前記スイッチ片の前記回動部材が配置される側の先端には、前記回動部材から離れる方向に傾斜した傾斜部が設けられる
ことを特徴とする電子時計。
【請求項７】
外部操作部材と、
接続端子を有する回路基板と、
前記外部操作部材の押し込み操作により回動軸を中心にして第１方向に回動する回動部材と、
前記回動部材が前記第１方向とは異なる第２方向に回動するように、前記回動部材を付勢する弾性部材と、を有し、
前記弾性部材は、前記回動部材の前記第２方向への回動を規制する規制部を有する
ことを特徴とする電子時計。
【発明の詳細な説明】
【技術分野】
【０００１】
本発明は電子時計に関する。
【背景技術】
【０００２】
従来、電子時計の外装ケースには、内部に搭載されたムーブメントのスイッチばねに対して接続離間可能な押しボタンが設けられている。押しボタンの外部操作によりスイッチばねが適正に押されると、スイッチばねとムーブメントの回路基板上の接続端子とが電気的に接続され、押しボタンが押されたことを検出できる。
【０００３】
このような電気的な接続により制御される電子時計として、ユーザーが押しボタンを操作する際の操作感を向上させるために、外部操作にクリック感を生じさせるための機構が組み込まれたものが知られている（例えば、特許文献１参照）。
【０００４】
特許文献１の電子時計では、外部操作部材を押圧すると、当該外部操作部材が戻しばねに当接する位置まで移動する。さらに、外部操作部材を押圧すると、戻しばねは外部操作部材によって押し込まれ、回動部材に当接する位置まで移動する。そして、戻しばねは、回動部材に当接した後、さらに外部操作部材によって押し込まれることによって、回動部材を第１の方向に回動させる。
回動部材は第１の方向に回動すると、回動部材の当接部が弾性部材に接触する。この際、弾性部材には、回動部材が接触した状態から、さらに回動部材が第１の方向に回動した際に、回動部材の当接部が乗り越えられるように構成された被当接部が形成されているので、当接部が被当接部を乗り越えることで節度（クリック感）が生じる。
【０００５】
また、特許文献１の電子時計では、外部操作部材の押圧をやめると、外部操作部材の押圧操作により規制されていた弾性部材が回動部材を第２の方向に押圧し、回動部材を第２の方向に回動させる。この際、回動部材は、第２の方向への回動が地板に設けられた規制部材によって規制される。
【先行技術文献】
【特許文献】
【０００６】
【特許文献１】特開２０１０−２１２１３２号公報
【発明の概要】
【発明が解決しようとする課題】
【０００７】
しかしながら、特許文献１の電子時計では、外部操作部材が押圧操作されていない状態において、回動部材の第２の方向への回動が規制部材によって規制されており、回動部材と戻しばねとが離間している。そのため、外部操作部材を押圧操作する際に、戻しばねを回動部材に当接させる分だけ外部操作部材を押し込む必要がある。したがって、外部操作部材のストローク量が大きくなり、電子時計を小型化できないといった問題がある。
【０００８】
本発明の目的は、小型化可能な電子時計を提供することにある。
【課題を解決するための手段】
【０００９】
本発明の電子時計は、外部操作部材と、接続端子を有する回路基板と、前記外部操作部材の押込み操作により押圧されるスイッチばねと、前記スイッチばねと接触する接触部を有し、前記外部操作部材の押し込み操作により回動軸を中心にして第１方向に回動する回動部材と、前記回動部材が前記第１方向とは異なる第２方向に回動するように、前記回動部材を付勢する弾性部材と、を有し、前記回動部材は、前記第２方向への回動が前記スイッチばねによって規制されることを特徴とする。
【００１０】
本発明では、回動部材は、第２方向に回動するように弾性部材に付勢され、この第２方向への回動がスイッチばねによって規制される。すなわち、外部操作部材が押込み操作されていない状態において、回動部材は、弾性部材に付勢されてスイッチばねに接触部が接触している。そのため、外部操作部材を押込み操作する際に、スイッチばねと回動部材とを接触させるために、外部操作部材を押し込む必要がない。したがって、外部操作部材のストローク量を小さくでき、電子時計を小型化できる。
【００１１】
本発明の電子時計において、前記スイッチばねが取り外されている場合に前記回動部材の前記第２方向への回動を規制する規制部を有することが好ましい。
本発明では、例えば、組み立て時やメンテナンス時などで、スイッチばねが取り外されている場合、すなわち、回動部材の第２方向への回動がスイッチばねにより規制されない場合、回動部材の第２方向への回動が規制部によって規制される。そのため、回動部材は、スイッチばねが配置される位置を大きく超えて第２方向に回動することを防ぐことができる。したがって、スイッチばねを取り付ける際に、回動部材を第１方向にわずかに回動させれば、スイッチばねを取り付けるスペースを確保でき、電子時計の組立作業性を向上できる。
【００１２】
本発明の電子時計において、前記規制部は、前記弾性部材に設けられることが好ましい。
本発明では、回動部材の第２方向への回動を規制する規制部が弾性部材に設けられるので、回動部材および弾性部材の２つの部品によって、回動部材の第２方向への回動を規制できる。そのため、回動部材および弾性部材以外の部材、例えば、これらの部材を取り付けるための地板などに規制部を設ける必要がなく、地板などの設計の自由度を高くできる。
また、規制部を別部品にて設ける必要がないので、部品種類を少なくでき、組立作業性を向上できる。
さらに、地板などに規制部を設けた場合、地板、回動部材および弾性部材の位置関係で、弾性部材に付勢された回動部材が第２方向に回動して規制部に当接している際の付勢力が変わることになる。そのため、これらの部材を取り付ける際の誤差を考慮すると、回動部材を規制部に適当な付勢力で当接させるためには、弾性部材の付勢力に若干の余裕を持たせる必要がある。そうすると、回動部材は弾性部材から必要以上に強く付勢されることになるので、回動部材を第１方向に回動させるのに必要な力が強くなってしまう。そのため、ユーザーの操作性が低下する。一方、本発明では、弾性部材に規制部を設けているので、弾性部材で付勢された回動部材が第２方向に回動して規制部に当接している際の付勢力を一定にすることができる。そのため、弾性部材の付勢力に余裕を持たせる必要がない。したがって、回動部材を第１方向に回動させるのに必要な力を大きくする必要がなく、ユーザーの操作性を向上できる。
【００１３】
本発明の電子時計において、地板と、文字板と、を有し、前記回動部材および前記弾性部材は、前記地板および前記文字板の間に配置されることが好ましい。
本発明では、回動部材および弾性部材は、地板および文字板の間に配置される。すなわち、回動部材および弾性部材は、地板の時計表面側に配置される。
ここで、通常、地板の時計裏面側には、回路基板、回路押さえ、複数の輪列、これらの輪列を駆動させるためのステップモーターなどが配置されるので、スペースに余裕がない。そのため、地板の時計裏面側に回動部材および弾性部材を配置しようとすると、電子時計を大きくする必要がある。
一方、地板の時計表面側は、比較的スペースに余裕が有る。そのため、回動部材および弾性部材を配置するために、電子時計を大きくする必要がない。したがって、地板の時計表面側のスペースを有効活用でき、電子時計を小型化できる。
【００１４】
本発明の電子時計において、前記外部操作部材は、先端が前記スイッチばねに当接可能な軸部を有し、前記文字板に平行な方向から見た側面視において、前記軸部の中心軸は、前記地板の厚みの中間位置よりも前記回動部材に近い位置に配置されることが好ましい。
本発明では、外部操作部材の軸部の中心軸は、文字板に平行な方向から見た側面視において、地板の厚みの中間位置よりも回動部材に近い位置に配置される。そのため、外部操作部材と回動部材との地板の厚み方向、すなわち時計厚さ方向の距離が短くなる。すなわち、外部操作部材の押込み操作により、スイッチばねを介して回動部材を第１方向に回動させる際に、外部操作部材の押し込み操作による力が作用する点と、スイッチばねが回動部材を回動させる力が作用する点との距離が短くなる。そのため、外部操作部材を押込み操作するのに必要な力を小さくでき、ユーザーの操作性を向上できる。
【００１５】
本発明の電子時計において、前記回路基板を押さえる回路押さえを有し、前記スイッチばねは、前記回路押さえに基端が支持され、前記回路基板の外周に沿って延設された支持腕部と、前記支持腕部に基端が支持され、前記文字板に平行な方向から見た側面視において前記文字板側に延設されたスイッチ片と、を有し、前記スイッチ片の前記回動部材が配置される側の先端には、前記回動部材から離れる方向に傾斜した傾斜部が設けられることが好ましい。
本発明では、スイッチばねは、回路押さえに基端が支持され、回路基板の外周に沿って延設された支持腕部と、支持腕部に基端が支持され、文字板に平行な方向からみた側面視において文字板側に延設されたスイッチ片と、を有する。そのため、スイッチばねを、回路押さえとともに、時計厚さ方向に対して、時計裏面側から時計表面側に向けて取り付けると、スイッチ片の先端が回動部材に当接する。この際、スイッチ片の回動部材が設けられる側の先端には、回動部材から離れる方向に傾斜した傾斜部を有するので、回動部材は傾斜部の傾斜面によって押し込まれることで第１方向に回動する。そのため、スイッチばねを取り付ける際に、回動部材を第１方向に回動するように押し込みながら作業する必要がなく、電子時計の組立作業性を向上できる。
【００１６】
本発明の電子時計は、外部操作部材と、接続端子を有する回路基板と、前記外部操作部材の押し込み操作により回動軸を中心にして第１方向に回動する回動部材と、前記回動部材が前記第１方向とは異なる第２方向に回動するように、前記回動部材を付勢する弾性部材と、を有し、前記弾性部材は、前記回動部材の前記第２方向への回動を規制する規制部を有することを特徴とする。
ここで、弾性部材以外の部品、例えば、地板などに規制部を設けた場合、回動部材、弾性部材および規制部の３つの部品によって回動部材および弾性部材が位置決めされる。この場合、これらの３つの部品の誤差によって、回動部材および弾性部材の位置がばらつくので、その分スペースに余裕を持たせる必要がある。
一方、本発明では、規制部が弾性部材に設けられるので、回動部材および弾性部材の２つの部品によってこれらの部品が位置決めされる。そのため、これらの位置のばらつきを小さくすることができる。したがって、ばらつきを考慮したスペースの余裕を小さくでき、電子時計を小型化できる。
【図面の簡単な説明】
【００１７】
【図１】本発明の一実施形態に係る電子時計の平面図。
【図２】前記電子時計の裏蓋が外された状態で裏蓋側から見た平面図。
【図３】前記電子時計を文字板が外された状態で文字板側から見た平面図。
【図４】前記電子時計の要部を示す斜視図。
【図５】前記電子時計の要部を示す斜視図。
【図６】前記電子時計の要部を示す拡大断面図。
【図７】前記電子時計の要部を示す拡大平面図。
【図８】外部操作部材が押し込まれた状態の前記電子時計の要部を示す拡大平面図。
【図９】スイッチばねが取り外された状態の前記電子時計の要部を示す拡大平面図。
【図１０】スイッチばねの取付手順を示す前記電子時計の概略断面図。
【発明を実施するための形態】
【００１８】
［電子時計の概略構成］
図１は、本発明の一実施形態に係る電子時計１０を文字板１１側から見た概略平面図であり、図２は、電子時計１０を裏蓋が外された状態で裏蓋側から見た平面図であり、図３は、電子時計１０を文字板１１が外された状態で文字板１１側から見た平面図である。
【００１９】
図１〜図３において、電子時計１０は、筒状の外装ケース２０と、外装ケース２０の内部に搭載されるムーブメント３０と、外装ケース２０の時計表面側の開口を塞ぐカバーガラス１００と、時計裏面側の開口を塞ぐ図示略の裏蓋と、カバーガラス１００の内側に配置された文字板１１とを備えている。また、本実施形態の電子時計１０は、クロノグラフ機能を備えている。
【００２０】
文字板１１には、指針１２，１３，１４が設けられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが設けられている。文字板１１、指針１２，１３，１４、第１小窓７０、第２小窓８０、第３小窓９０、およびカレンダー小窓１５などは、カバーガラス１００を透して視認可能となっている。
【００２１】
なお、文字板１１の表面側には、カレンダー車（日車）１６が配置され、このカレンダー車１６は、印刷等された日付を示す数字部分がカレンダー小窓１５から視認可能となっている。
【００２２】
［外装ケースの説明］
外装ケース２０は、金属で形成された円筒状のケース２１に、セラミックなどで形成されたベゼル２２が嵌合されて構成されている。このベゼル２２の内周側にリング状のダイヤルリング２３を介して、円盤状の文字板１１が配置されている。
【００２３】
外装ケース２０の側面には、２つの押しボタン６０が押込可能に設けられている。押しボタン６０は、操作部６０１と、操作部６０１から延長されて先端がスイッチばね４０に当接可能な軸部６０２（図４参照）とを有する。また、操作部６０１の内部には、軸部６０２の外周に図示略の戻しばねが設けられており、戻しばねは図示略のばね座によって保持されている。そして、押しボタン６０は、戻しばねによってケース２１の外側に付勢されている。
押しボタン６０としては、文字板１１の中心より、２時方向の位置に配置されたＡボタン６０Ａと、４時方向の位置に配置されたＢボタン６０Ｂとがある。これらのＡボタン６０Ａ、Ｂボタン６０Ｂが操作されることにより、操作に応じた操作信号が後述する回路基板３２の制御回路に出力される。すなわち、Ａボタン６０ＡおよびＢボタン６０Ｂは、本発明の外部操作部材の一例である。
また、外装ケース２０の側面には、３時方向の位置にリューズ６１が設けられている。
【００２４】
［ムーブメントの説明］
図２および図３において、ムーブメント３０は、地板３１と、回路基板３２と、回路基板３２を取り付けるための部材である回路押さえ３３とを備えている。なお、以下のムーブメント３０の説明において、地板３１の裏蓋側（時計裏面側）を表側とし、地板３１の文字板１１側（時計表面側）を裏側として説明する。
【００２５】
図２に示すように、地板３１の表側には、回路基板３２と回路押さえ３３とが配置されている。また、地板３１の表側には、図示略の複数の輪列、これらの輪列を介して前述の指針１２，１３，１４，７１，８１，９１を回転駆動する図示略のステップモーター、ステップモーターに電力を供給するリチウムイオン電池などの二次電池３４等が配置されている。
【００２６】
また、図３に示すように、地板３１の裏側には、２時および４時方向の位置に、回動部材５１（５１Ａ，５１Ｂ）と、クリックばね５２（５２Ａ，５２Ｂ）とが配置されている。すなわち、回動部材５１およびクリックばね５２は、地板３１および文字板１１の間に配置される。
なお、回動部材５１およびクリックばね５２は、押しボタン６０を押し込んだ際に、クリック感を生じさせるための部材である。回動部材５１およびクリックばね５２の詳細については後述する。
【００２７】
回路基板３２は、指針１２，１３，１４，７１，８１，９１の駆動を制御する制御回路の他、電子時計１０が電波時計である場合には、受信装置（ＧＰＳモジュール）、制御装置、記憶装置等を備えることになる。そして、回路基板３２には、ＧＰＳ衛星からの電波を受信する図示略のアンテナ体が接続される。
【００２８】
回路押さえ３３は、外部操作可能なＡ，Ｂボタン６０Ａ，６０Ｂの押込み操作により押圧されることで弾性変形し、回路基板３２の接続端子３２Ａに電気的に接続されるスイッチばね４０（４０Ａ，４０Ｂ）を有している。本実施形態では、スイッチばね４０は、回路押さえ３３と一体に形成される。また、スイッチばね４０は、金属製で導電性を有し、Ａ，Ｂボタン６０Ａ，６０Ｂが操作されて押し込まれると、当該Ａ，Ｂボタン６０Ａ，６０Ｂの端部が当接し、内方に弾性変形して接続端子３２Ａに接続され、スイッチ入力が行われる。スイッチばね４０の形状および動作については、以下に詳説する。
【００２９】
［スイッチばねの説明］
図４は、地板３１の裏側の要部を示す斜視図であり、図５は、地板３１の表側の要部を示す斜視図であり、図６は電子時計１０の要部を示す拡大断面図である。
図２に示すように、スイッチばね４０としては、２時方向に設けられたスイッチばね４０Ａと、４時方向に設けられたスイッチばね４０Ｂとの２つがある。
【００３０】
スイッチばね４０は、図４および図５に示すように、支持腕部４１とスイッチ片４２とを有する。
支持腕部４１は、回路押さえ３３から文字板１１側（時計表面側）に向けて延設された基端部４１１と、基端部４１１から回路基板３２の外周に沿って延設された支持腕部本体４１２と、を有する。すなわち、支持腕部４１は、基端部４１１が回路押さえ３３に支持され、支持腕部本体４１２が回路基板３２の外周に沿って延設されている。また、支持腕部本体４１２は、先端側で地板３１の外周部に設けられた規制部３１１に当接している。これにより、支持腕部４１はケース２１側（時計外周側）に移動することが規制されている。
【００３１】
スイッチ片４２は、図５に示すように、基端が支持腕部本体４１２に支持され、支持腕部本体４１２から、文字板１１に平行な方向から見た側面視において、裏蓋側（時計裏面側）および文字板１１側（時計表面側）の両側に向けて延設されている。すなわち、スイッチ片４２は、支持腕部本体４１２から、時計厚さ方向に延設されている。そして、スイッチ片４２は、図６に示すように、支持腕部本体４１２の裏蓋側に設けられ、接続端子３２Ａと接続される接続部４２２と、支持腕部本体４１２の文字板１１側に設けられ、押しボタン６０の端部が当接される作用部４２１と、作用部４２１のさらに文字板１１側に設けられ、後述する回動部材５１の接触部５１１と接触する被接触部４２３と、を有している。さらに、スイッチ片４２の文字板１１側の先端には、ケース２１側（時計外周側）に傾斜する傾斜部４２４が設けられている。すなわち、傾斜部４２４は、回動部材５１から時計外周側に離れる方向に傾斜している。
このようなスイッチばね４０は、押しボタン６０の押込操作時の動きに応じて回路基板３２の面方向（押しボタン６０の軸方向）に弾性変形する。本実施形態では、２つのスイッチばね４０Ａ，４０Ｂがそれぞれ、Ａ，Ｂボタン６０Ａ，６０Ｂによって弾性変形する。
【００３２】
ここで、図６に示すように、作用部４２１は、押しボタン６０の軸部６０２の先端が当接可能に構成されている。そして、軸部６０２の中心軸Ｐは、文字板１１に平行な方向から見た側面視において、地板３１の厚みの中間位置を通る中心線Ｏよりも回動部材５１に近い位置に配置されている。これにより、押しボタン６０の軸部６０２、スイッチばね４０の作用部４２１、回動部材５１およびクリックばね５２の時計厚さ方向の距離Ｈが短くなるように構成されている。
【００３３】
［回動部材およびクリックばねの説明］
図７は電子時計１０の要部を示す拡大平面図である。なお、図７では、説明を分かりやすくするために、地板３１の記載を省略している。
回動部材５１は、金属などから設けられており、図７に示すように、回動軸３７を中心にして第１方向Ｒおよび第２方向Ｌに回動可能である。回動部材５１には、スイッチばね４０の被接触部４２３と当接する接触部５１１と、後述するクリックばね５２の凹部５２１と当接する当接部５１２と、クリックばね５２の規制部５２３と係合する係合部５１３と、が設けられている。
【００３４】
クリックばね５２は、金属などから形成された弾性体であり、図７に示すように、中央部付近で屈曲したヘアピン状に形成されている。クリックばね５２は、基端部付近および屈曲部付近で、締結部材３８，３９によって地板３１に固定されている。また、クリックばね５２の先端側には、回動部材５１の当接部５１２と接触する凹部５２１が設けられている。凹部５２１の先端側には、凹部５２１から連続して平面部５２２が設けられている。また、クリックばね５２の基端側には、回動部材５１の係合部５１３と係合する規制部５２３が設けられている。
【００３５】
また、前述したようにスイッチばね４０は、支持腕部４１が時計外周側に移動することが規制されている。そのため、回動部材５１は、スイッチばね４０のスイッチ片４２によって第２方向Ｌへの回動が規制されている。そして、スイッチ片４２によって第２方向Ｌへの回動が規制された回動部材５１は、クリックばね５２を第１方向Ｒに押し込むように、クリックばね５２と接触している。これにより、クリックばね５２は第１方向Ｒに弾性変形している。そして、この反作用により、クリックばね５２は、第１方向Ｒとは反対の第２方向Ｌに回動するように、回動部材５１を付勢している。すなわち、クリックばね５２は、本発明の弾性部材の一例である。
このように、本実施形態では、回動部材５１は、スイッチばね４０とクリックばね５２とに挟み込まれることで位置決めされている。
【００３６】
次に、回動部材５１およびクリックばね５２の動きについて説明する。
図８は、押しボタン６０が押し込まれた状態の電子時計１０の要部を示す拡大平面図である。なお、図７と同様に、図８も地板３１の記載を省略している。
電子時計１０のユーザーは、押しボタン６０の押し込み操作によって、押しボタン６０を図７中の右上方向に向けて押し込む。
【００３７】
押しボタン６０が押し込まれると、図８に示すように、押しボタン６０は、軸部６０２がスイッチ片４２の作用部４２１に接触する。そして、さらに押しボタン６０が押し込まれると、支持腕部４１が弾性変形し、スイッチ片４２を介して、回動部材５１が第１方向Ｒに回動する。
ここで、回動部材５１の接触部５１１と、スイッチ片４２の被接触部４２３とは接触しているので、回動部材５１とスイッチばね４０とを接触させるために押しボタン６０を押し込む必要はない。すなわち、押しボタン６０がスイッチ片４２に当接した状態から、押しボタン６０を押し込むと、ただちに回動部材５１は第１方向Ｒに回動する。
【００３８】
回動部材５１が第１方向Ｒに回動すると、回動部材５１の当接部５１２は、凹部５２１に接触した状態から押し込まれ、凹部５２１を乗り越えて平面部５２２と接触する状態になる。この際、当接部５１２が凹部５２１を乗り越えることで、クリック感が生じる。
【００３９】
また、押しボタン６０が押し込まれると、スイッチ片４２が回路基板３２側に移動する（図６参照）。そして、スイッチ片４２の接続部４２２が回路基板３２の接続端子３２Ａに接続し、スイッチ入力が行われる。
【００４０】
スイッチ入力が行われた後、ユーザーが押しボタン６０の押込み操作を解除すると、押しボタン６０は、前述した図示略の戻しばねに付勢されて、ケース２１の外側に向かって移動する。この移動により、押しボタン６０が、スイッチ片４２、回動部材５１およびクリックばね５２を第１方向Ｒに押し込んでいた力が解除される。この際、図８に示す状態では、支持腕部４１およびクリックばね５２は、押しボタン６０に押し込まれて弾性変形していたので、押しボタン６０によって押し込まれていた力が解除されると、元の状態に戻ろうとする。これにより、スイッチ片４２およびクリックばね５２は第２方向Ｌに移動する。そして、回動部材５１は、クリックばね５２によって付勢されて、第２方向Ｌに回動する。
このように、ユーザーが押しボタン６０の押込み操作を解除すると、押しボタン６０、スイッチばね４０、回動部材５１およびクリックばね５２は、図７に示す所定の位置に戻る。
【００４１】
［スイッチばねが取り外された状態について］
次に、スイッチばね４０が取り外されている場合における、回動部材５１およびクリックばね５２について説明する。なお、スイッチばね４０が取り外される場合とは、例えば、電子時計１０の組み立て時やメンテナンス時などが想定される。
【００４２】
図９は、スイッチばね４０が取り外された状態の電子時計１０の要部を示す拡大平面図である。なお、図７および図８と同様に、図９も地板３１の記載を省略している。
図９に示すように、スイッチばね４０が取り外された状態では、当然、回動部材５１の第２方向Ｌへの回動がスイッチばね４０によって規制されない。そのため、回動部材５１は、クリックばね５２に付勢されて、図７に示す状態からさらに第２方向Ｌに回動しようとする。
【００４３】
この際、図９に示すように、回動部材５１は、回動部材５１の係合部５１３がクリックばね５２の規制部５２３に係合する。そのため、回動部材５１は、第２方向Ｌへの回動が規制されるので、図９に示す状態からさらに第２方向Ｌへ大きく回動することがない。そのため、回動部材５１が、スイッチばね４０が配置される位置を大きく超えてケース２１側に飛び出してしまうことを防ぐことができる。
【００４４】
［スイッチばねの取付手順］
次に、スイッチばね４０の取付手順について説明する。
図１０（Ａ）〜図１０（Ｃ）は、スイッチばね４０の取付手順を示す電子時計１０の概略断面図である。なお、図１０（Ａ）〜図１０（Ｃ）において、上側が裏蓋側（時計裏面側）であり、下側が文字板１１側（時計表面側）である。
図１０（Ａ）〜図１０（Ｃ）に示すように、スイッチばね４０は、回路押さえ３３とともに、裏蓋側から文字板１１側に向けて取り付けられる。
【００４５】
この際、図１０（Ａ）に示すように、スイッチばね４０の先端に設けられた傾斜部４２４が回動部材５１の接触部５１１に当接する。すなわち、回動部材５１は、係合部５１３がクリックばね５２の規制部５２３に係合している状態で、接触部５１１の先端が傾斜部４２４の先端よりもケース２１側（時計外周側）に突出しないように、第２方向Ｌへの回動が規制されている。この状態から、スイッチばね４０をさらに文字板１１側に移動させると、傾斜部４２４はケース２１側、つまり、回動部材５１から時計外周側に離れる方向に傾斜しているので、当該傾斜部４２４の傾斜面によって、回動部材５１が押し込まれる。そうすると、回動部材５１は、第１方向Ｒに回動するので（図７参照）、図１０（Ｂ）に示す状態になる。この状態から、スイッチばね４０をさらに文字板１１側に移動させると、図１０（Ｃ）に示す状態になり、スイッチばね４０を所定の位置に取り付けることができる。
このように、本実施形態では、スイッチばね４０を、裏蓋側（時計裏面側）から文字板１１側（時計表面側）に取り付ければ、回動部材５１を第１方向Ｒに回動するように押し込みながら作業する必要がない。
【００４６】
［実施形態の作用効果］
このような本実施形態によれば、以下の効果を得ることができる。
本実施形態では、押しボタン６０が押込み操作されていない状態において、回動部材５１はクリックばね５２に付勢されてスイッチばね４０に接触している。すなわち、回動部材５１の第２方向Ｌへの回動がスイッチばね４０によって規制されている。そのため、押しボタン６０を押込み操作する際に、スイッチばね４０と回動部材５１とを接触させるために、押しボタン６０を押し込む必要がない。したがって、押しボタン６０のストローク量を小さくでき、電子時計１０を小型化できる。
【００４７】
本実施形態では、例えば、組み立て時やメンテナンス時などで、スイッチばね４０が取り外されている場合、係合部５１３がクリックばね５２の規制部５２３と係合することで、回動部材５１の第２方向Ｌへの回動が規制される。そのため、回動部材５１はスイッチばね４０が配置される場所を大きく超えて、第２方向Ｌに回動することがない。したがって、スイッチばね４０を取り付ける際に、回動部材５１を第１方向Ｒにわずかに回動させればスイッチばね４０を取り付けるスペースを確保でき、電子時計１０の組立作業性を向上できる。
【００４８】
本実施形態では、回動部材５１の第２方向Ｌへの回動を規制する規制部５２３がクリックばね５２に設けられるので、回動部材５１およびクリックばね５２の２つの部品によって、回動部材５１の第２方向Ｌへの回動を規制できる。
ここで、クリックばね５２以外の部品、例えば、地板３１などに規制部５２３を設けた場合、回動部材５１、クリックばね５２および規制部５２３の３つの部品によって回動部材５１およびクリックばね５２が位置決めされる。この場合、これらの３つの部品の誤差によって、回動部材５１およびクリックばね５２の位置がばらつくので、その分スペースに余裕を持たせる必要がある。
一方、本実施形態では、規制部５２３がクリックばね５２に設けられるので、回動部材５１およびクリックばね５２の２つの部品によってこれらの部品が位置決めされる。そのため、これらの位置のばらつきを小さくすることができる。したがって、ばらつきを考慮したスペースの余裕を小さくでき、電子時計１０を小型化できる。
また、回動部材５１およびクリックばね５２以外の部品に規制部５２３を設ける必要がないので、地板３１などの設計の自由度を高くできる。また、規制部５２３を別部品にて設ける必要がないので、部品種類を少なくでき、組立作業性を向上できる。
さらに、地板３１などに規制部５２３を設けた場合、地板３１、回動部材５１およびクリックばね５２の位置関係で、クリックばね５２に付勢された回動部材５１が第２方向Ｌに回動して規制部５２３に当接している際の付勢力が変わることになる。そのため、これらの部材を取り付ける際の誤差を考慮すると、回動部材５１を規制部５２３に適当な付勢力で当接させるためには、クリックばね５２の付勢力に若干の余裕を持たせる必要がある。そうすると、回動部材５１はクリックばね５２から必要以上に強く付勢されることになるので、回動部材５１を第１方向Ｒに回動させるのに必要な力が強くなってしまう。そのため、ユーザーの操作性が低下する。一方、本実施形態では、クリックばね５２に規制部５２３を設けているので、クリックばね５２で付勢された回動部材５１が第２方向Ｌに回動して規制部５２３に当接している際の付勢力を一定にすることができる。そのため、クリックばね５２の付勢力に余裕を持たせる必要がない。したがって、回動部材５１を第１方向Ｒに回動させるのに必要な力を大きくする必要がなく、ユーザーの操作性を向上できる。
【００４９】
本実施形態では、回動部材５１およびクリックばね５２は、地板３１および文字板１１の間に配置される。
ここで、地板３１の表側には、回路基板３２、回路押さえ３３、図示略の複数の輪列、これらの輪列を介して指針１２，１３，１４，７１，８１，９１を回転駆動する図示略のステップモーター、ステップモーターに電力を供給するリチウムイオン電池などの二次電池３４等が配置されているので、スペースに余裕がない。そのため、地板３１の表側に回動部材５１およびクリックばね５２を配置しようとすると、電子時計１０を大きくする必要がある。
一方、地板３１の裏側、すなわち、地板３１および文字板１１の間には、比較的スペースに余裕が有る。そのため、回動部材５１およびクリックばね５２を配置するために、電子時計１０を大きくする必要がない。したがって、地板３１の文字板１１側（時計表面側）のスペースを有効活用でき、電子時計１０を小型化できる。
【００５０】
本実施形態では、押しボタン６０の軸部６０２の中心軸Ｐは、文字板１１に平行な方向から見た側面視において、地板３１の厚みの中間位置を通る中心線Ｏよりも回動部材５１に近い位置に配置されている。そのため、押しボタン６０と回動部材５１との時計厚さ方向の距離Ｈが短くなる。すなわち、押しボタン６０の押込み操作により、スイッチばね４０を介して回動部材５１を第１方向Ｒに回動させる際に、押しボタン６０の押し込み操作による力が作用する作用部４２１と、スイッチばね４０が回動部材５１を回動させる力が作用する被接触部４２３との距離Ｈが短くなる。そのため、押しボタン６０を押込み操作するのに必要な力を小さくでき、ユーザーの操作性を向上できる。
【００５１】
本実施形態では、スイッチ片４２の先端には、ケース２１側（時計外周側）に傾斜した傾斜部４２４が設けられているので、回動部材５１は傾斜部４２４によって押し込まれることで第１方向Ｒに回動する。そのため、スイッチばね４０を取り付ける際に、回動部材５１を第１方向Ｒに回動するように押し込みながら作業する必要がなく、電子時計１０の組立作業性を向上できる。
【００５２】
本実施形態では、押しボタン６０を押込み操作する際に、回動部材５１の当接が、凹部５２１に接触した状態から押し込まれ、凹部５２１を乗り越えることでクリック感を生じる。そのため、ユーザーが押しボタン６０を操作する際の操作感を向上させることができる。
【００５３】
本実施形態では、押しボタン６０が押込み操作されていない状態において、スイッチばね４０、回動部材５１およびクリックばね５２が接触している。
ここで、押しボタン６０が押込み操作されていない状態において、スイッチばね４０と回動部材５１とが離間している場合、ユーザーが押しボタン６０を押し込むと、押しボタン６０がスイッチばね４０に当接し、押しボタン６０をさらに押し込むと、スイッチばね４０が回動部材５１に当接する。そして、ユーザーは、さらに押しボタン６０を押し込むと、回動部材５１の当接部５１２がクリックばね５２の凹部５２１を乗り越える際にクリック感が得られる。このように、ユーザーは、押しボタン６０がスイッチばね４０と当接するタイミングと、スイッチばね４０が回動部材５１に当接するタイミングと、当接部５１２が凹部５２１を乗り越えるタイミングと、で３段階の力の変化を感じることになる。この場合、２回目の力の変化が生じたタイミング、すなわち、スイッチばね４０が回動部材５１に当接するタイミングでクリック感が生じたと誤認する可能性があり、ユーザーの意図した操作が実行されない可能性がある。
一方、本実施形態では、前述のように、押しボタン６０が押込み操作されていない状態において、スイッチばね４０、回動部材５１およびクリックばね５２が接触しているので、スイッチばね４０が回動部材５１に接触するタイミングで力の変化が生じることがない。そのため、ユーザーがクリック感を誤認する可能性は低く、ユーザーの意図した操作が実行されやすくなる。
【００５４】
［他の実施形態］
なお、本発明は前述の実施形態に限定されるものではなく、本発明の目的を達成できる範囲での変形、改良等は本発明に含まれるものである。
前記実施形態では、回動部材５１の第２方向Ｌへの回動を規制する規制部５２３がクリックばね５２に設けられていたが、例えば、規制部は地板などに設けられていてもよく、スイッチばねが取り外された際に、回動部材の第２方向への回動を規制できる位置に設けられていればよい。
【００５５】
前記実施形態では、ヘアピン状に屈曲して形成されたクリックばね５２を弾性部材の一例としたが、弾性部材はこれに限られるものではなく、例えば、長方形状に形成された平板であってもよく、回動部材が第２方向に回動するように付勢できるものであればよい。
【００５６】
前記実施形態では、スイッチばね４０が回路押さえ３３に設けられていたが、例えば、スイッチばねは回路押さえとは別部品にて設けられていてもよく、あるいは、スイッチばねが地板に設けられる構成も本発明に含まれる。
【００５７】
前記実施形態では、回動部材５１およびクリックばね５２が地板３１の裏側に設けられていたが、地板の表側に設けられていてもよい。
また、押しボタン６０は、軸部６０２の中心軸Ｐが、地板３１の厚み中間位置を通る中心線Ｏに対して、回動部材５１に近い位置、すなわち、地板３１の裏側に位置するように配置されていたが、押しボタンは、軸部の中心軸が、地板の厚みの中間位置を通る中心線に対して、地板の表側に位置するように配置されていてもよい。この場合、押しボタンは、軸部の中心軸が、時計厚さ方向に対して、スイッチ片４２の接続部４２２と被接触部４２３との間に位置するように配置されることが好ましい。
【００５８】
前記実施形態では、スイッチばね４０の端部に傾斜部４２４が設けられていたが、スイッチばねの端部に傾斜部が設けられない構成も本発明に含まれる。
【００５９】
前記実施形態では、本発明の電子時計１０をアナログ式として説明したが、電子時計としては、時間情報を液晶表示装置にて表示するようなデジタル式であってもよく、アナログ式とデジタル式とが一緒になったものであってもよい。
さらに、アナログ式の場合でも、クロノグラフ機能については必須の構成ではなく、通常の３針式の電子時計に本発明を適用してもよい。
また、電子時計としてＧＰＳ衛星からの電波を受信する電波時計としたが、標準電波を受信するものであってもよいし、電波を受信しない電子時計に本発明を適用してもよい。
【符号の説明】
【００６０】
１０…電子時計、２０…外装ケース、２１…ケース、３０…ムーブメント、３１…地板、３２…回路基板、３２Ａ…接続端子、３３…回路押さえ、３７…回動軸、４０，４０Ａ，４０Ｂ…スイッチばね、４１…支持腕部、４２…スイッチ片、４２１…作用部、４２２…接続部、４２３…被接触部、４２４…傾斜部、５１…回動部材、５１１…接触部、５１２…当接部、５１３…係合部、５２…クリックばね（弾性部材）、５２１…凹部、５２２…平面部、５２３…規制部、６０…押しボタン（外部操作部材）、６０１…操作部、６０２…軸部、Ｒ…第１方向、Ｌ…第２方向、Ｐ…中心軸、Ｏ…中心線。
【図１】
2019158800.tif 000003
【図２】
2019158800.tif 000004
【図３】
2019158800.tif 000005
【図４】
2019158800.tif 000006
【図５】
2019158800.tif 000007
【図６】
2019158800.tif 000008
【図７】
2019158800.tif 000009
【図８】
2019158800.tif 000010
【図９】
2019158800.tif 000011
【図１０】
2019158800.tif 000012